(57)【特許請求の範囲】
【請求項１】
患者の皮膚を刺すための尖った遠位先端を有する中空針と、ハウジングと、を有し、該ハウジングは、前記針を、前記針の先端が前記ハウジングの外である第１の使用準備位置と前記針の先端が前記ハウジング内にある第２の引っ込み針保護位置との間でハウジングに対して移動させるための手段を有し、前記ハウジングは、前記針を通すための貫通孔を形成した前部分及び前記針が前記貫通孔の中を通るのを防ぐために、前記針の第２の引っ込み針保護位置で、針に係合する弾性手段を含む医療装置において、針を移動させるための前記手段は、ハブを含み、前記弾性手段は、前記ハウジングに取り付けられた弾性アームからなり、前記弾性アームは、前記使用準備位置で、前記ハブとの係合によって前記針から遠ざけられ、前記針の第２の引っ込み針保護位置で、前記遠位先端を前記ハウジングの長手方向軸線から横方向に移動させて、前記遠位先端が前記貫通孔に入るのを防ぐために、前記針に係合する自由端を含むことを特徴とする医療装置。
【請求項２】
前記弾性アームはプラスチック材料で作られる、請求項１に記載の医療装置。
【発明の詳細な説明】
【０００１】
【発明の属する技術分野】
本発明は、医療装置に関し、特に患者の皮膚に刺すための尖った遠位端部、即ち、先端を有する中空針を含む静脈用カテーテルのような医療装置に関する。
【０００２】
【従来の技術】
エイズ及び肝炎のような感染病の存在は、尖った針先を患者の皮膚に刺すのに使用するようなカテーテル装置によって患者を治療するとき、医療関係者が晒される危険性を強調している。医療関係者は感染した針との肉体的接触又は感染した針で偶然刺すこと（針突き）によって感染させられてきた。
医療関係者をうかつな針突きから保護するために、カテーテルに組み込まれた保護手段が使用後の、それ故に、うかつな針突きの予防に針との肉体的接触を防ぐ多数の解決策が開発されてきた。
【０００３】
使用後、針を保護するための１つの公知の装置が欧州特許第５，４４７，５０１号に記載されている。この文書では、患者の皮膚に刺すための尖った遠位先端を有する中空針を含む注入カテーテル組立体が記載されている。使用準備位置では、針は、弾性部材を収容する堅い前部分の孔の中を通る。弾性部材は針の側面によって引力下に保持され、針の長手方向とほぼ直角に力を及ぼす。針先の引っ込み位置では、即ち、針先が堅い前部分の孔の中を、そしてそれを越えて戻されたとき、弾性部材は針先を横方向に押して針先が孔の中に再び入るのを防ぐ。
この装置は比較的単純かつ経済的な装置であり、うかつな針突きの危険を最小にするのに効果的である。
【０００４】
【発明が解決しようとする課題】
しかしながら、装置が実際に使用されるまで弾性部材は圧縮下にあり、かつ装置の保存寿命は製造から３年までであるから、弾力性を失うような弾性部材の永久歪みを回避するために弾性部材をコイルばね鋼で作るのが望ましいことが分かった。
本発明の目的は、針保護位置で針先を偏向させるための弾性手段を含むが、コイルばね鋼を使用する必要を回避する、医療装置の一部を形成する針の先端を保護するための簡単で効果的な手段を提供することにある。
【０００５】
【課題を解決するための手段】
本発明によれば、患者の皮膚を刺すための尖った遠位先端を有する中空針と、針を第１の使用準備位置と第２の引っ込み針保護位置との間でハウジングに対して移動させるための手段とを有し、ハウジングは針を通すための貫通孔を形成した前部分及び針が孔の中を通るのを防ぐように針の第２の引っ込み針保護位置で針に係合する弾性手段を含む医療装置において、弾性手段はハウジングに取り付けられた弾性アームの形態をなし、かつ前記針先を横方向に移動させて針先が孔に入るのを防ぐために、針の第２の引っ込み針保護位置では針の側面に係合する自由端を含むことを特徴とする。
好ましくは、弾性アームはプラスチック材料で作られる。
【０００６】
今、本発明の実施例を添付概略図面の図を参照して例示として説明する。
【０００７】
【発明の実施の形態】
図示するように、注入カテーテル組立体１は、尖った遠位先端６を有する中空針４を備えた針組立体２を含み、前記針４は針ハブ８から前方に延びる。針ハブ８はハウジング１０内に滑り運動万能に配置され、把手１４を支持する出っ張り１２を含む。把手１４に係合して針ハブ８をハウジング１０の長さに沿って前後に往復動させることができるようにするために、出っ張り１２はハウジング１０に形成された長孔１６を貫通する。針ハブ８は中空であり、フィルタ１８によって閉鎖され、フィルタ１８はハブ８とともに血液逆流チャンバ２０を構成する。ハウジング１０の前方遠位端部は、端部に連結されたハブ支持部材２４によって効果的に閉鎖される。しかしながら、ハブ支持部材２４には、針４を通すことができる貫通孔２５が形成されている。ハブ支持部材２４の前方面には、カニューレ組立体３０の近位端部を支持するための前方に延びるボス２６が形成されている。当該技術において周知のように、カニューレ組立体３０はカニューレハブ３４に取り付けられた中空カニューレ３２を有する。
【０００８】
本発明によれば、プラスチック材料の弾性アーム４０がハウジング１０に取り付けられ、アーム４０は近位端部４２及び遠位端部４４を有する。図示したように、アーム４０は、端部４２、４４がハウジング１０の内部に入るように形成され、そしてハウジング１０に取り付けられる。
図１及び図２に示すような使用準備位置では、針４がハブ支持部材２４の孔２５を貫通し、カニューレ組立体３０を貫通するように針ハブ８はハウジング１０の前方端に配置され、従って、針４の遠位先端６は中空カニューレ３２の自由遠位端部を越えて延びる。この位置では、ハブ８は端部４４に係合し、かくして、図２に示すようにアームの近位端部４２をハウジング１０の内部内に配置した位置をアーム４０に取らせる。
【０００９】
一旦、患者の皮膚の貫通が行われると、把手１４に係合して針ハブ８をハウジング１０に沿ってその近位端部に向かって、即ち、図３に示す位置に向かって移動させる。針ハブ８のこの移動により針４を中空カニューレ３２及びカニューレハブ３４の中に引っ込めさせる。針ハブ８の近位端部は又、アーム４０にその近位端部４２に隣接して係合し、それによって、アームの遠位端部４４を押して針４の側面に係合させる。
針ハブ８のこの後方移動が続き、遂には、針ハブは図４に示すように針保護位置に達する。
この位置では、針ハブ８によりアーム４０の近位端部４２をハウジング１０の内部から外方に移動させており、同時にアーム４０の遠位端部４４を針に係合させて針を横方向に移動させており、従って、針先６はもはやハブ支持体２４の貫通孔２５に入ることができない。
【００１０】
次いで、この位置で、カニューレ組立体３０をハブ支持体２４から取り外すことができる。
上に述べた実施例の特定な利点は、アームを弾性プラスチック材料で作ることができることにある。その上、アームの遠位端部４４は、カニューレ３２を通る針の引っ込めを始めるとき、初期には力を針４に加えず、針４に加わる力は、針ハブ８をハウジング１０の後ろに移動させたときにのみ増大し、針４がその針保護位置に達する直前に摩擦力が最大になる。針４を患者から引き抜く初期の力は使用者、通常、看護婦にとって非常に重要であり、もしそれが高すぎると、使用者は正しい感触を得ることができないので、これは重要である。
【図面の簡単な説明】
【図１】図１は、針が貫通準備位置にある注入カテーテル組立体の側立面図である。
【図２】図２は図１のカテーテル組立体の長手方向断面である。
【図３】図３は図２と同様な長手方向断面であるが、使用準備位置と針保護位置との間の使用後の針を示す。
【図４】図４は図２及び図３と同様な断面であるが、針保護位置における針及びカテーテル組立体の残部から分離されたカニューレ組立体を示す。
【符号の説明】
１  注入カテーテル組立体
２  針組立体
４  針
６  遠位先端
８  ハブ
１０  ハウジング
１２  ラグ
１４  把手
１６  長孔
１８  フィルタ
２４  ハブ支持部材
２５  貫通孔
２６  ボス
３０  カニューレ組立体
３２  カニューレ
３４  カニューレハブ
４０  アーム
４２  近位端部
４４  遠位端部
【図１】
0004054088.tif 000002
【図２】
0004054088.tif 000003
【図３】
0004054088.tif 000004
【図４】
0004054088.tif 000005